(57)【要約】【課題】  気化ガスが一次空気と混合された際に発生するシュー音が燃焼装置外部に漏れ出るのを抑えて、使用者に不快感を与えることのない液体燃料燃焼装置を提供すること。【解決手段】  バーナ６が収容されるバーナボックス７に、バーリング加工を施してノズル挿入孔１６を形成し、このノズル挿入孔１６よりノズルをバーナボックス内に挿入するように構成した。ノズル挿入孔の周囲に形成されたバーリング１７が、ノズル挿入孔１６とノズル１５との隙間からバーナボックス７の外にシュー音が漏れ出ようとするのを抑える役割を果たすため、使用者が不快と感じる騒音を低減することができる。【選択図】図２
2007263528.tif 000002
【特許請求の範囲】
【請求項１】
液体燃料を加熱して気化ガスとする気化器と、前記気化器の先端に設けられ気化ガスを噴出するノズルと、気化ガスを燃焼するバーナと、前記バーナを収容するバーナボックスと、前記バーナボックスにバーリング加工を施して形成されたノズル挿入孔とを有することを特徴とする液体燃料燃焼装置。
【発明の詳細な説明】
【技術分野】
【０００１】
本発明は、ファンヒーター等の液体燃料燃焼装置に関するものである。
【背景技術】
【０００２】
従来、灯油等の液体燃料を燃焼するこの種の燃焼装置として、燃料を加熱して気化ガスとする気化器を備え、この気化器の先端に設けられたノズルからバーナの混合管へ気化ガスを噴出して、噴出の際のエゼクタ効果により引き込まれる一次空気と気化ガスとを混合管内で混合することで混合ガスを生成し、この混合ガスをバーナで燃焼させるような構造のものがある。
【０００３】
このような構成の燃焼装置では、ノズルから噴出された高温の気化ガスが一次空気と混合されると、気化ガスが一次空気によって冷却されるため気化ガスの粒子は大きくなり、いわゆる密度変化が生じる。このとき気化ガスが混合管内壁に衝突することによりシューという比較的大きな音（以下、シュー音）が発生し、これが使用者にとって耳障りに感じられてしまう。
【０００４】
そこで、図４に示すように、バーナボックス２２を設けて、ここにバーナ２１を収容し、シュー音をバーナボックス２２内に閉じ込めて外部に漏れるのを抑えるように構成したものがある（特許文献１）。このバーナボックス２２の側面にはノズル挿入孔２４が設けられているので、ノズル２３をノズル挿入孔２４から挿入して、バーナボックス２２内の混合管２５に臨ませて取付けられるようになっている。
【０００５】
またその他には、ノズルとバーナの間に吸音材を設けて、音を吸収させるようにしたものもあり、吸音材として多孔質性の金属や耐熱性の繊維などが用いられている（特許文献２，３）。
【特許文献１】特開２００３−２４０３５１号公報
【特許文献２】実開平３−３００１７号公報
【特許文献３】実開平６−６９１２号公報
【発明の開示】
【発明が解決しようとする課題】
【０００６】
ところが、特許文献１の構成においては、ノズル挿入孔とノズルとの間には隙間が設けられているため、ここからバーナボックスの外へシュー音が漏れ出てしまっていた。そして漏れ出たシュー音は、温風が吹き出す吹出口や本体正面の隙間等から装置外部に排出されるので、使用者に騒音として聞こえることになる。
【０００７】
そこで、この隙間から漏れ出るシュー音をできる限り抑えようとして、ノズル挿入孔とノズルとの距離を小さくすると、気化器を組付けた時のわずかな誤差によってノズル挿入孔とノズルが接触してしまうことがある。そして、ノズル挿入孔とノズルが接触することにより共振が起こるため、新たな騒音を発生させる原因となってしまう。
【０００８】
また、特許文献２，３の構成においては、気化器およびバーナ付近はかなりの高温であるため、吸音材の耐久性の面で問題がないとは言えない。さらに、吸音材が気化ガスを吸収してしまうことも考えられ、この場合には火災発生の危険性もある。
【０００９】
本発明は、上記課題を解決するためのもので、燃焼装置外部にシュー音が漏れ出るのを抑えて、使用者に不快感を与えることのない液体燃料燃焼装置を提供することを目的とする。
【課題を解決するための手段】
【００１０】
本発明は、液体燃料を加熱して気化ガスとする気化器と、前記気化器の先端に設けられ気化ガスを噴出するノズルと、気化ガスを燃焼するバーナと、前記バーナを収容するバーナボックスと、前記バーナボックスにバーリング加工を施して形成されたノズル挿入孔とを有することを特徴とする液体燃料燃焼装置である。
【発明の効果】
【００１１】
上述のように構成することにより、バーナボックスの外へ漏れ出ようとするシュー音がバーリングで抑えるられるため、使用者が不快と感じる騒音を低減することができる。さらに、ノズル挿入孔を従来に比べ大径とすることが可能となって、共振音の発生をも防ぐことができる。また、吸音材等を用いないため火災発生の原因となることもなく、安全性に優れた装置を提供することとなる。
【発明を実施するための最良の形態】
【００１２】
好適と考える本発明の実施形態を、本発明の作用を示して簡単に説明する。
【００１３】
本発明は、灯油等の液体燃料を気化した気化ガスをノズルからバーナに噴出し、バーナで燃焼を行わせる液体燃料燃焼装置であって、バーナが収容されるバーナボックスにはバーリング加工によりノズル挿入孔が設けられており、このノズル挿入孔よりノズルをバーナボックス内に挿入するように構成されている。
【００１４】
つまり、ノズル挿入孔の周囲にはバーナボックス内部に向けてバーリングが形成されていて、このバーリングは、気化ガスと一次空気が混合された際に発生するシュー音がノズル挿入孔とノズルとの隙間からバーナボックスの外に漏れ出ようとするのを抑える役割を果たす。
【００１５】
したがって、バーナボックスから装置外部へ漏れ出るシュー音の量が減少するので、使用者にとって耳障りな騒音が軽減されることになる。
【００１６】
また、上述のようにノズル挿入孔とノズルとの隙間からシュー音が漏れるのが抑えられたことにより、この隙間を従来に比べて大きくすることも可能となる。よって、気化器を組付ける際の誤差を考慮した上で、ノズル挿入孔とノズルが接触しないようにノズル挿入孔の孔径を決定すれば、共振することもなくなるため、騒音の少ない装置とすることができる。
【実施例１】
【００１７】
本発明の具体的な実施例について図面に基づいて説明する。
【００１８】
図１は本発明の燃焼装置の内部構成図であり、本体ケース１と置台２からなる燃焼装置には、灯油等の液体燃料を貯蔵する油受皿３と、油受皿３の上部に載置され燃料を汲み上げる電磁ポンプ４と、電磁ポンプ４によって油受皿３から汲み上げられた液体燃料を加熱気化する気化器５と、気化器５により気化された気化ガスを燃焼するバーナ６と、バーナ６を収容するバーナボックス７と、バーナボックス７上に載置された燃焼室８と、装置内部に空気を取り込む送風機９と、温風を吹き出す吹出口１０が備えられている。
【００１９】
また、図２はバーナ６周辺の構成を示した図であって、バーナ６は、開口１１より流入する気化ガスと一次空気を混合して混合ガスとする混合管１２と、この混合ガスが噴出して燃焼する炎孔部１３と、混合ガスに点火する点火装置１４から構成されている。
【００２０】
そして、気化器５の先端にはノズル１５が設けられており、このノズル１５よりバーナ６の混合管１２へ気化ガスが噴出される。
【００２１】
また、バーナボックス７を構成する側壁７ａの片側にはノズル挿入孔１６が設けられていて、ノズル１５をこのノズル挿入孔１６よりバーナボックス７の内部に挿入して、混合管１２の開口１１に対向するように固定することで気化器５が組み付けられるようになっている。
【００２２】
さらに図３に示すように、ノズル挿入孔１６の周囲には、バーナボックス７の側壁７ａをバーナボックス７の内部に向けて切り起こした、バーリング１７が形成されている。
【００２３】
なお、ノズル挿入孔１６とノズル１５が接触すると、共振して新たな騒音の原因となってしまうため、気化器５を組み付けた際のノズル挿入孔１６とノズル１５との間には隙間を設ける必要がある。なお、気化器５の組付けには誤差が生じるため、この誤差も考慮した上でノズル挿入孔１６の径Ｌは決定されなければならない。
【００２４】
次に、上述の構成における動作を説明する。
【００２５】
まず燃焼装置の運転が指示されると、気化器５に内蔵されたヒータへの通電が開始されて気化器５が加熱される。そして、気化器５の温度が燃料を気化することのできる温度まで上昇すると、電磁ポンプ４が駆動して油受皿３の燃料を汲み上げて気化器５へ供給し、燃料は気化器５内で加熱されて気化ガスとなり、先端に設けられたノズル１５より混合管１２の開口１１へ噴出される。
【００２６】
このようにして気化ガスが噴出されると、その噴出力によるエゼクタ効果によって周囲の空気が一次空気として混合管１２内部に引き込まれ、さらに、送風機９の回転により本体内に導入された空気もバーナボックス７の下方より流入し、混合管１２に一次空気として押し込まれるため、これら一次空気は前述の気化ガスと混合して混合ガスとなる。そして、混合ガスは炎孔部１３から噴出して、点火装置１４により点火されてバーナ６で燃焼を開始し、この燃焼により発生する燃焼排ガスは燃焼室８内を上昇して上部から排出された後、送風機９からの空気と混合されて温風となって吹出口１０より室内に排出される。
【００２７】
ここで、上述のようにノズル１５から噴出された気化ガスが一次空気と混合されるとき、高温の気化ガスは外部から取り込まれた一次空気によって冷却されるため、気化ガスの粒子が大きくなり密度変化が生じる。そしてこの密度変化によってシューという比較的大きな音が発生する。
【００２８】
このシュー音はバーナボックス７内に閉じ込められているものの、ノズル１５とノズル挿入孔１６との隙間からバーナボックス７の外へ漏れ出ようとする。しかし、ノズル挿入孔１６の周囲に形成されたバーリング１７がノズル１５とノズル挿入孔１６との隙間からシュー音が漏れ出るのを防ぐ役割を果たすため、バーナボックス７内に閉じ込められたシュー音はバーナ６の炎孔部１３を介してバーナボックス７から燃焼室８へ排出されるようになる。
【００２９】
そして、燃焼室８側に排出されたシュー音は、燃焼に伴って発生する燃焼音等とともに吹出口１０から排出されるので、バーナボックス７から直接装置外部に排出されるシュー音が相対的に抑えられることとなるため、使用者に聞こえる騒音を抑制して不快感を与えてしまうことを防止することができる。
【００３０】
また、バーナボックス７の外へ漏れ出るシュー音が抑えられたことによって、ノズル挿入孔１６とノズル１５との隙間を従来に比べて大きくすることが可能となる。よって、気化器５を組付ける際の誤差を考慮してノズル挿入孔１６の孔径Ｌを決定することができるようになるから、ノズル挿入孔１６とノズル１５が接触することにより発生する共振をも防いで、より騒音の少ない装置とすることができる。
【図面の簡単な説明】
【００３１】
【図１】本実施例の燃焼装置の内部構成図である。
【図２】本実施例のバーナ周辺の構成図である。
【図３】本実施例の遮音部とノズルの拡大図である。
【図４】従来の燃焼装置の要部構成図である。
【符号の説明】
【００３２】
２    気化器
６    バーナ
７    バーナボックス
１５  ノズル
１６  ノズル挿入孔
１７  バーリング
【図１】
2007263528.tif 000003
【図２】
2007263528.tif 000004
【図３】
2007263528.tif 000005
【図４】
2007263528.tif 000006